(57)【要約】【課題】故人や亡きペットの遺骨などが納められていることを他人に気付かれるおそれがなく、しかも、礼装・正装用や冠婚葬祭用としても使える瀟洒で高級感のあるアクセサリーを提供する。【解決手段】真珠ルース１の内部に遺骨の砕片Ｘや遺灰を収納する空洞３が形成されると共に、空洞３の入口に雌ねじ穴５を配したナット４が固設され、真珠ルース１の頂部に取り付ける金具２が、ナット４と螺合するボルト６を有し、該ボルト６の頭部７が、ナット４を覆い隠す傘型形状に形成された真珠のアクセサリーとした。【選択図】図１
0003139477.tif 000002
【実用新案登録請求の範囲】
【請求項１】
真珠ルースの頂部にアクセサリーチェーン等にぶら下げるための金具が取り付けられた真珠のアクセサリーにおいて、真珠ルースの内部に、その内部が頂部側から刳り貫かれて遺骨の砕片や遺灰を収納するための空洞が形成されると共に、該空洞の入口が開口する真珠ルースの頂部に、前記空洞の入口に雌ねじ穴を配したナットが固設され、前記金具が、前記ナットと螺合するボルトを有し、該ボルトの頭部が、前記ナットを覆い隠す傘型形状に形成されていることを特徴とする真珠のアクセサリー。
【請求項２】
前記ボルトの頭部に丸環がロウ付けされている請求項１記載の真珠のチャーム。
【考案の詳細な説明】
【技術分野】
【０００１】
本考案は、主にネックレスやチョーカー、ブレスレット、イヤリング、ブローチ等の身飾品にぶら下げるペンダントトップやチャームとして使用され、携帯電話やバッグ等にぶら下げるチャームとしても使用される真珠のアクセサリーに係り、特に、真珠ルースの頂部にアクセサリーチェーン等にぶら下げるための金具が取り付けられた真珠のアクセサリーに関する。
【背景技術】
【０００２】
首に装着するチェーンネックレスやチョーカーなどのアクセサリーチェーンにぶら下げる飾りは、ペンダントトップもしくはペンダントヘッドあるいはチャームと呼ばれ、ダイヤモンド、ルビー、サファイア、エメラルド、水晶、珊瑚、真珠などの宝玉又はその模造品や、金・銀・プラチナ等の貴金属などで成る本体に、これをぶら下げるためのペンダントトップ金具あるいはチャーム金具と呼ばれる金具が取り付けられている。
【０００３】
真珠の珠をぶら下げるオーソドックスな真珠のペンダントトップあるいはチャームは、図２（ａ）に示すように、真珠の珠（ルース）にその直径の約３分の２に相当する長さの片穴２２があけられた真珠ルース２１と、その片穴２２に突き刺すピン２４の頭部２５にアクセサリーチェーンに連結するための丸環２６がロウ付けされた金具２３とで構成され、該金具２３が、そのピン２４を真珠ルース２１の片穴２２に突き刺して、図２（ｂ）の如く真珠ルース２１の頂部に取り付けられたシンプルなデザインとなっている。
【０００４】
真珠ルース２１の片穴２２は、穴あけ専門の真珠加工業者が、貝から取り出された真珠の照り（輝き）の良い箇所や傷の具合などを見極めて最も適正な箇所にあけるもので、その穴の長さは真珠径の約３分の２、穴の径はアコヤ真珠の場合で０．７ｍｍに統一されている。そして、この片穴２２があけられた真珠ルース２１を用いてペンダントトップやチャームを製作するアクセサリー職人は、その真珠ルース２１の直径が７ｍｍ〜８ｍｍであれば、片穴２２の径を０．７ｍｍから０．８ｍｍ〜０．９ｍｍ程度に拡大し、また、真珠ルース２１の直径が１０ｍｍ以上であれば、片穴２２の径を１．０ｍｍ〜１．２ｍｍにまで拡げる加工を施すと共に、それに応じて片穴２２に突き刺す金具２３のピン２４も太くするようにしている。なお、無穴の状態で輸入販売される南洋真珠については、アクセサリー職人が片穴２２をあけることとしている。
【０００５】
ところで、ペンダントトップやチャームには、写真を入れるロケットのように小さな容器で成るものがあり、ロケットの他にも、例えば液状物を封入する小型のボトルで成るものや（特許文献１参照）、小さな錠剤やニトログリセリン、低血糖時に摂取する糖などを収納して携帯するためのピルケースで成るものが知られている。
【特許文献１】実用新案登録第３０９１０１７号公報
【０００６】
そして、最近は、ペンダントトップやチャームとして使用するピルケースやピルケース型の金属ケースに故人や亡きペットの遺骨、遺灰を収納して手元供養するカロートネックレスなるものが市販されている。この種のネックレスは、これを首に装着すれば、日常的に故人や亡きペットと触れ合うことができ、毎日、人知れず供養することができるというものであるが、ピルケースやピルケース型の金属ケースで成るペンダントトップは、礼装・正装用のアクセサリーとしては不向きであるし、故人を偲ぶ法事・法要の際に身に付けるアクセサリーとしても相応しくないという問題があった。また、遺骨や遺灰が入ったピルケース等の容器をペンダントトップとするカロートネックレスが普及してその存在が広く知られるところとなれば、容器型のペンダントトップを見た他人が何かしら心理的な圧迫を受けるおそれもある。
【０００７】
また、市販のカロートネックレスには、そのペンダントトップが、遺骨・遺灰と石灰や石英とを混ぜ合わせて作られた納骨石と称する人造石の石片で成るものもあるが、これもその存在が広く知られると、他人に心理的な圧迫を与えるおそれがあり、その圧迫感は、遺骨・遺灰をピルケース等の容器内に納めたカロートネックレスが与える圧迫感よりも更に強いものとなる。また、遺骨・遺灰が混入された人造石で成るペンダントトップは、アクセサリーとしての高級感や豪華さ・華麗さに欠けるという欠点もある。
【考案の開示】
【考案が解決しようとする課題】
【０００８】
本考案は、故人や亡きペットの遺骨・遺灰が納められていることを他人に気付かれて心理的な圧迫を与えるおそれがなく、しかも、礼装・正装用や冠婚葬祭用としても使える瀟洒で高級感のあるアクセサリーを提供することを技術的課題としている。
【課題を解決するための手段】
【０００９】
上記課題を解決するために、本考案は、真珠ルースの頂部にアクセサリーチェーン等にぶら下げるための金具が取り付けられた真珠のアクセサリーにおいて、真珠ルースの内部に、その内部が頂部側から刳り貫かれて遺骨の砕片や遺灰を収納するための空洞が形成されると共に、該空洞の入口が開口する真珠ルースの頂部に、前記空洞の入口に雌ねじ穴を配したナットが固設され、前記金具が、前記ナットと螺合するボルトを有し、該ボルトの頭部が、前記ナットを覆い隠す傘型形状に形成されていることを特徴とする。
【考案の効果】
【００１０】
本考案のアクセサリーは、真珠ルースの頂部にアクセサリーチェーン等にぶら下げるための金具が取り付けられたオーソドックスな真珠のアクセサリーであるから、礼装・正装用や冠婚葬祭用としても使用することができる。また、外見的には広く一般に知られた真珠のアクセサリーと格別異なるところはなく、しかも、真珠ルースは、本来、空洞などない中実なものであるから、その真珠ルースの内部に遺骨の砕片や遺灰が納められていることを他人に悟られることはなく、他人に心理的な圧迫を与えることなく人知れず故人を供養することができる。
【考案を実施するための最良の形態】
【００１１】
本考案に係る真珠のアクセサリーの最良の実施形態は、アコヤ真珠より大ぶりな南洋白蝶真珠あるいはタヒチ黒蝶真珠で成る真珠ルースの内部に、その内部が頂部側から刳り貫かれて遺骨の砕片や遺灰を収納するための空洞が形成されると共に、該空洞の入口が開口する真珠ルースの頂部に、その空洞の入口に遺骨の砕片を出し入れすることが可能な穴径を有する雌ねじ穴を配したナットが固設されている。そして、真珠ルースの頂部には、該真珠ルースをアクセサリーチェーン等にぶら下げるための金具が取り付けられており、該金具は、真珠ルースの頂部に固設されたナットと螺合するボルトを有し、該ボルトの頭部が、ナットを覆い隠す傘型形状に形成されて、そのその頭部にアクセサリーチェーン等に連結するための丸環がロウ付けされている。
【実施例】
【００１２】
図１は本考案に係る真珠のアクセサリーの一例を示す図であって、同図（ａ）は、本例のアクセサリーを構成する真珠ルースと金具の断面図、同図（ｂ）は、真珠ルースの頂部に金具が取り付けられた状態を示す断面図、同図（ｃ）は、本例のアクセサリーの使用状態を示す図である。
【００１３】
図１に示す真珠のアクセサリーは、ペンダントトップや各種チャームとして使用されるもので、真珠ルース１とその頂部に取り付けられる金具２とで構成されている。
【００１４】
真珠ルース１は、直径１０ｍｍ〜１８ｍｍ程度の南洋白蝶真珠あるいは直径９ｍｍ〜１６ｍｍ程度のタヒチ黒蝶真珠で成り、該真珠ルース１の内部が頂部側からドリルで刳り貫かれて、その内部に、内径約４．０ｍｍ〜４．５ｍｍ、深さ約７ｍｍ〜８ｍｍの縦穴状の空洞３が形成されると共に、空洞３の入口が開口する真珠ルース１の頂部に、遺骨の砕片Ｘが出し入れできる穴径約３ｍｍの雌ねじ穴５を空洞３の入口に配したナット４が固設されている。なお、ナット４は、真珠ルース１の頂部に開口する空洞３の入口に嵌め込んで接着剤で固定されるようになっている。
【００１５】
金具２は、真珠ルース１の頂部に固設されたナット４と螺合するボルト６を有し、該ボルト６の頭部７が球面状の傘型形状に形成されると共に、該頭部７にアクセサリーチェーン等に連結するための丸環８がロウ付けされた構成となっており、その全体が１８金ＹＧ／ＷＧやスターリングシルバー９２５等の貴金属で製作されている。
【００１６】
上記の如く構成される真珠のアクセサリーは、図１（ａ）の如く、真珠ルース１の内部に形成された空洞３内に遺骨の砕片Ｘ、Ｘ…や遺灰を投入して、同図（ｂ）の如く、空洞３の入口に嵌め込んで固定されたナット４の雌ねじ穴５に金具２のボルト６をねじ込んで、金具２を真珠ルース１の頂部に取り付ける。これにより、遺骨の砕片Ｘ、Ｘ…や遺灰を収納した空洞３の入口が金具２のボルト６によって閉ざされると同時に、そのボルト６の頭部７によってナット４が覆い隠される。したがって、同図（ｃ）の如く、外見的には広く一般に知られた真珠のアクセサリーと格別異なるところはないから、遺骨・遺灰などを納めていることを他人に気付かれるおそれはなく、金具２の丸環８にバチ環９を取り付けてチェーンネックレスなどのアクセサリーチェーン１０にぶら下げれば、礼装・正装用や冠婚葬祭用のアクセサリーとしても使用することができる。
【００１７】
また、天然真珠・養殖真珠で成る真珠ルース１の主成分は炭酸カルシウムであり、表面の有機質層は美しく上品な光沢を放つので、真珠ルース１の空洞３内に納められた遺骨や遺灰は、それらと同質の物体によって包み込まれると同時に、美しい光によって包み込まれることとなるから、これを身につけて故人を偲ぶ人に、安心感や安らぎを与えることもできる。
【００１８】
なお、養殖真珠の核に真珠色の塗装を施した貝パールや、プラスチック球の表面に真珠色の塗装を施したプラスチックパール等の模造真珠も、外見的には天然真珠・養殖真珠とさほど違いはなく、礼装・正装用や冠婚葬祭用のアクセサリーとして使用可能であるから、本考案の真珠ルースは、天然真珠・養殖真珠に限らず、模造真珠で成るものであってもよい。
【産業上の利用可能性】
【００１９】
本考案は、真珠アクセサリーの需要増大に資するものである。
【図面の簡単な説明】
【００２０】
【図１】本考案に係る真珠のアクセサリーの一例を示す図
【図２】従来の真珠のアクセサリーを示す図
【符号の説明】
【００２１】
１…真珠ルース
２…金具
３…空洞
４…ナット
５…ナットの雌ねじ穴
６…ボルト
７…ボルトの頭部
８…丸環
９…バチ環
１０…アクセサリーチェーン
Ｘ…遺骨の砕片
【図１】
0003139477.tif 000003
【図２】
0003139477.tif 000004
【手続補正書】
【提出日】平成19年12月5日(2007.12.5)
【手続補正１】
【補正対象書類名】実用新案登録請求の範囲
【補正対象項目名】請求項２
【補正方法】変更
【補正の内容】
【請求項２】
前記ボルトの頭部に丸環がロウ付けされている請求項１記載の真珠のアクセサリー。